(57)【要約】【課題】本発明は、一枚の基板上に週カレンダーとメモ用紙が別個に切り離し可能な状態で積載されることでメモ用紙として自在に活用できるとともにコストを大幅に減少させることを可能とするメモ付き週捲りカレンダーを提供することを目的とするものである。【解決手段】本発明は、紙製の基板２上に設けられる一週間分の日付・曜日が表示される複数枚のカレンダー用紙６の一端が剥離可能なように貼り合わせられる週捲りカレンダー３と、前記基板２上の週捲りカレンダー３の隣接する位置に設けられる一端が剥離可能なように貼り合わせられる複数枚のメモ用紙４を備える。【選択図】図１
2007118275.tif 000002
【特許請求の範囲】
【請求項１】
紙製の基板上に設けられる一週間分の日付・曜日が表示される複数枚のカレンダー用紙の一端が剥離可能なように貼り合わせられる週捲りカレンダーと、
前記基板上の週捲りカレンダーの隣接する位置に設けられる一端が剥離可能なように貼り合わせられる複数枚のメモ用紙を備える
ことを特徴とするメモ付き週捲りカレンダー。
【請求項２】
前記基板の上端に、開閉可能な表紙が設けられ、かつその表面側に広告表示およびその裏面側に一年の暦が表示されている
ことを特徴とする請求項１記載のメモ付き週捲りカレンダー。
【発明の詳細な説明】
【技術分野】
【０００１】
本発明は、メモ付き週捲りカレンダーに関する。詳しくは広告宣伝用としてカレンダーとは別にメモ用紙が設けられた週捲りカレンダーに係るものである。
【背景技術】
【０００２】
従来、広告宣伝用に取引先に配布されるものとして、各種宣伝内容を印刷したデスクメモが存在する。このデスクメモは、ボール紙の台紙に積重状態のメモ用紙を接着した簡単な構造である。
【０００３】
また、デスク上に置いて使用するメモとカレンダーとを組み合わせたものとして、例えば図４に示すカレンダー付デスクメモがある。このカレンダー付デスクメモ１０１は、メモ用紙１０２を載設した底板１０３の後方に、カレンダー１０４を取付けたカレンダー支持板１０５を起立状態に支持されるように形成される（特許文献１参照。）。
【０００４】
【特許文献１】実用新案登録第３０３９４４２号公報（要約書、第２図）
【発明の開示】
【発明が解決しようとする課題】
【０００５】
しかしながら前記カレンダー付デスクメモでは、底板１０３、支承板１０６、折目１０７、カレンダー支持板１０５および基板１０８の５面の板紙が必要となる。また、基板１０８にスリットと底板１０３には切込み１０９を設けなければならない。
【０００６】
更に、カレンダー１０４は、一枚毎に一月のカレンダーが印刷された１２枚の板紙を月順に積重ねたものであり、金属線材を折曲げて形成されたカレンダー支持板１０８の後端縁に取付けられた支持部材１１２によって揺動自在に支持され、支承板１０６側に捲り上げ可能な機構となっている。
【０００７】
したがって、前記カレンダー付デスクメモでは、板紙が５面となり一般の広告宣伝用に配布されるものとしては部品点数が多く、かつカレンダーの取付けや切込みなどの作業による手間が掛り、非常にコスト高となる問題がある。
【０００８】
本発明は、以上の点に鑑みて創案されたものであって、一枚の基板上に週カレンダーとメモ用紙が別個に切り離し可能な状態で積載されることでメモ用紙として自在に活用できるとともにコストを大幅に減少させることを可能とするメモ付き週捲りカレンダーを提供することを目的とするものである。
【課題を解決するための手段】
【０００９】
上記の目的を達成するために、本発明に係るメモ付き週捲りカレンダーは、紙製の基板上に設けられる一週間分の日付・曜日が表示される複数枚のカレンダー用紙の一端が剥離可能なように貼り合わせられる週捲りカレンダーと、前記基板上の週捲りカレンダーの隣接する位置に設けられる一端が剥離可能なように貼り合わせられる複数枚のメモ用紙を備える。
【００１０】
ここで、個別の週捲りカレンダーとメモ用紙とを基板上に隣接した状態で設けることによって、カレンダーへのスケジュールの記入などカレンダー個別の活用とは別に、電話による伝言などに書き込みをメモ用紙によって行うことが可能となり非常に活用範囲が広くなる。
【発明の効果】
【００１１】
本発明のメモ付き週捲りカレンダーは、週捲りカレンダーと隣接する位置に、切り離し自在としたメモ用紙を設けることによって、剥ぎ取ることができる通常のメモ用紙として活用することが可能となる。
【００１２】
また、紙面に週捲りカレンダーとメモ欄を印刷し、これらの紙面を板紙上に積重した状態で紙切断刃によって週捲りカレンダーとメモとを切り離すように切断することによって容易にメモ付き週捲りカレンダーを作成することができ、かつ部品点数が少ないことから安価での製作が可能となる。
【００１３】
また、部品点数が少なく、安価での製作が可能となることから従来のようにコストを下げるために多くのロッドとする必要性はなく、ロッドが少なくても安価での製作が可能となる。さらに、会社の設立記念として配布するカレンダーには、例えば会社の設立日、あるいは店のオープン記念日から始まるカレンダーとすることによりオリジナルなカレンダーを製作することができる。
【発明を実施するための最良の形態】
【００１４】
以下、本発明の実施の形態を図面を参酌しながら説明し、本発明の理解に供する。
図１は、本発明を適用したメモ付き週捲りカレンダーの一例を示す斜視図である。
【００１５】
ここで示すメモ付き週捲りカレンダー１は、板紙で形成される基板２上に週捲りカレンダー３とメモ用紙４が並べて設けられる。また、前記基板２の上端には表紙５が開閉自在な状態で延設される。
【００１６】
そこで前記週捲りカレンダー３は、一週間の曜日と日数が印刷され、各曜日ごとに予定を書き込むスペースを設けたカレンダー用紙６を積重した状態で、その上端を糊付けされた構成とする。
【００１７】
また、前記メモ用紙４は前記カレンダー用紙６と切り離された状態で積重され、その上端を糊付けされた構成とする。
【００１８】
さらに、図２に示すように、前記表紙５の表面には広告宣伝用として社名や「・・・会社設立２０周年」などの標語が印刷される。そして表紙５の裏面には、年間の各月のカレンダーが印刷され、表紙を開いた際に一年間の暦が確認できる構成とする。
【００１９】
次に、メモ付き週捲りカレンダー１の製作例を図２に示す。
一枚の紙面に週捲りカレンダー欄およびメモ欄を並べた状態で印刷する。そして一年間の週捲りカレンダーを重ねて、その上端の糊付けを行い、基板２上に接着する。
【００２０】
ここで、紙切断刃によって前記週捲りカレンダー欄とメモ欄との間を上方より下方へ基板２を残した状態で裁断することによって個別の週捲りカレンダー３およびメモ用紙４が作製されることになる。
【００２１】
このような製作方法によって週捲りカレンダー欄およびメモ用紙欄を別々に印刷し、それぞれを重ね合わせて週捲りカレンダー３およびメモ用紙４を別々に作製する手間が省けることによって作業の効率化が図られ、安価なコストによる広告宣伝用として週捲りカレンダーの製作が可能となる。
【００２２】
以上の構成よりなる本発明のメモ付き週捲りカレンダーは、週捲りカレンダー３の各曜日にはスケジュールなどを書き込める空白部分が設けられている。そしてメモ用紙４には得意先から電話による伝言などを書き込めるのに充分な空白部分が設けられており、このメモ用紙４に書き込み、剥ぎ取ることができるメモ用紙４として活用することが可能となる。
【００２３】
また、メモ用紙は週捲りカレンダー（５０枚前後）と略同枚数とするために、例えばカレンダーの厚さが日捲りカレンダー（３６５枚）のように極端に枚数が多いカレンダー、あるいは月捲りカレンダー（１２枚）のように極端に少ないカレンダーに比べ、最適な枚数となる。
【図面の簡単な説明】
【００２４】
【図１】本発明を適用したメモ付き週捲りカレンダーの一例を示す斜視図である。
【図２】本発明を適用したメモ付き週捲りカレンダーの表紙を示す説明図である。
【図３】本発明を適用したメモ付き週捲りカレンダーの製作例の一例を示す説明図である。
【図４】従来のメモ付きカレンダーの一例を示す説明図である。
【符号の説明】
【００２５】
１    メモ付き週捲りカレンダー
２    基板
３    週捲りカレンダー
４    メモ用紙
５    表紙
６    カレンダー用紙
【図１】
2007118275.tif 000003
【図２】
2007118275.tif 000004
【図３】
2007118275.tif 000005
【図４】
2007118275.tif 000006